【手続補正書】
【提出日】平成28年6月15日(2016.6.15)
【手続補正１】
【補正対象書類名】特許請求の範囲
【補正対象項目名】全文
【補正方法】変更
【補正の内容】
【特許請求の範囲】
【請求項１】
実行中のアプリケーションから、アプリケーションの実行状態を示すメタデータを取得するメタデータ取得部と、
ユーザからの検索指示を受け付ける指示取得部と、
メタデータを含むコンテンツの検索要求を生成する要求生成部と、
サーバに対して、検索要求を送信する要求送信部と、
サーバから、コンテンツデータを取得するコンテンツ取得部と、
取得したコンテンツの画像を生成する画像生成部と、を備え、
アプリケーションは、アプリケーションにおいて設定されているイベントの発生を示すイベントコードを通知する機能を有し、前記メタデータ取得部は、通知されたイベントコードを、メタデータとして取得するものであって、
前記指示取得部が検索指示を受け付けると、前記メタデータ取得部は、既に取得している最新のメタデータを前記要求生成部に提供し、前記要求生成部は、最新のメタデータを含む検索要求を生成する、
ことを特徴とする情報処理装置。
【請求項２】
サーバから、コンテンツの検索結果を取得する検索結果取得部と、をさらに備え、
前記画像生成部が検索結果として複数のコンテンツに関する画像を生成し、前記指示取得部が、コンテンツを指定する選択指示を受け付けると、前記要求送信部が、サーバに対して、選択されたコンテンツの送信要求を送信する、ことを特徴とする請求項１に記載の情報処理装置。
【請求項３】
前記検索結果取得部は、検索要求に含まれる複数種類のメタデータにもとづいて検索されたコンテンツの検索結果を取得することを特徴とする請求項２に記載の情報処理装置。
【請求項４】
情報処理装置とサーバとがネットワークを介して接続された情報処理システムであって、
情報処理装置は、
実行中のアプリケーションから、アプリケーションの実行状態を示すメタデータを取得するメタデータ取得部と、
ユーザからの検索指示を受け付ける指示取得部と、
メタデータを含むコンテンツの検索要求を生成する要求生成部と、
サーバに対して、検索要求を送信する要求送信部と、
サーバから、コンテンツの検索結果を取得する検索結果取得部と、
サーバにおける検索結果として、複数のコンテンツに関する画像を生成する第１画像生成部と、
サーバから、コンテンツデータを取得するコンテンツ取得部と、
取得したコンテンツの画像を生成する第２画像生成部と、を備え、
アプリケーションは、アプリケーションにおいて設定されているイベントの発生を示すイベントコードを通知する機能を有し、前記メタデータ取得部は、通知されたイベントコードを、メタデータとして取得するものであって、
前記指示取得部が検索指示を受け付けると、前記メタデータ取得部は、既に取得している最新のメタデータを前記要求生成部に提供し、前記要求生成部は、最新のメタデータを含む検索要求を生成し、
サーバは、
コンテンツデータを記録するコンテンツ記録部と、
検索要求に含まれるメタデータにもとづいて、コンテンツを検索する検索処理部と、
コンテンツの検索結果を送信する第１送信部と、
コンテンツデータを送信する第２送信部と、を備える、
ことを特徴とする情報処理システム。
【請求項５】
実行中のアプリケーションの画像データを記録する記録部と、
実行中のアプリケーションから、アプリケーションの実行状態を示すメタデータを取得するメタデータ取得部と、
前記記録部に記録されたアプリケーション画像データのうち、開始点から終了点までのアプリケーション画像データを、コンテンツデータとして抽出するコンテンツ生成部と、を備え、
前記コンテンツ生成部は、メタデータが取得されたタイミングを示す時間情報を参照して、開始点から終了点までの期間に収集されたメタデータを、コンテンツデータに付加することを特徴とする情報処理装置。
【請求項６】
前記メタデータ取得部は、アプリケーションを使用しているユーザに関する情報を、メタデータとして取得し、
前記コンテンツ生成部は、コンテンツデータに、ユーザに関する情報を付加することを特徴とする請求項５に記載の情報処理装置。
【請求項７】
前記メタデータ取得部は、実行中のアプリケーションから、アプリケーションにおいて設定されているイベントの発生を示すイベントコードを取得し、
前記コンテンツ生成部は、イベントコードにもとづいて開始点および終了点を特定して、コンテンツデータを抽出することを特徴とする請求項５または６に記載の情報処理装置。
【請求項８】
サーバに、実行中のアプリケーションの画像データを送信する送信処理部と、
実行中のアプリケーションから、アプリケーションの実行状態を示すメタデータを取得するメタデータ取得部と、を備え、
前記送信処理部は、アプリケーション画像データをサーバに送信している間に前記メタデータ取得部が取得したメタデータを、サーバに送信することを特徴とする情報処理装置。
【請求項９】
前記メタデータ取得部は、実行中のアプリケーションから、アプリケーションにおいて設定されているイベントの発生を示すイベントコードを取得し、
前記送信処理部は、イベントコードを、メタデータとして、サーバに送信することを特徴とする請求項８に記載の情報処理装置。
【請求項１０】
実行中のアプリケーションから、アプリケーションの実行状態を示すメタデータを取得するステップと、
ユーザからの検索指示を受け付けるステップと、
メタデータを含むコンテンツの検索要求を生成するステップと、
コンテンツの検索要求を送信するステップと、
コンテンツデータを取得するステップと、
取得したコンテンツの画像を生成するステップと、を備えるコンテンツ画像生成方法であって、アプリケーションは、アプリケーションにおいて設定されているイベントの発生を示すイベントコードを通知する機能を有し、メタデータ取得ステップは、通知されたイベントコードを、メタデータとして取得するものであって、
検索指示を受け付けると、検索要求生成ステップは、既に取得している最新のメタデータを含む検索要求を生成する、
ことを特徴とするコンテンツ画像生成方法。
【請求項１１】
実行中のアプリケーションから、アプリケーションの実行状態を示すメタデータを取得するステップと、
実行中のアプリケーションの画像データを記録する記録部から、開始点から終了点までの画像データを、コンテンツデータとして抽出するステップと、
メタデータが取得されたタイミングを示す時間情報を参照して、開始点から終了点までの期間に収集されたメタデータを、コンテンツデータに付加するステップと、
を備えることを特徴とするコンテンツデータ生成方法。
【請求項１２】
コンピュータに、
実行中のアプリケーションから、アプリケーションの実行状態を示すメタデータを取得する機能と、
ユーザからの検索指示を受け付ける機能と、
メタデータを含むコンテンツの検索要求を生成する機能と、
コンテンツの検索要求を送信する機能と、
コンテンツデータを取得する機能と、
取得したコンテンツの画像を生成する機能と、を実現するためのプログラムであって、
アプリケーションは、アプリケーションにおいて設定されているイベントの発生を示すイベントコードを通知する機能を有し、メタデータ取得機能は、通知されたイベントコードを、メタデータとして取得する機能を含むものであって、
検索指示を受け付けると、検索要求生成機能は、既に取得している最新のメタデータを含む検索要求を生成する機能を含む、
ことを特徴とするプログラム。
【請求項１３】
コンピュータに、
実行中のアプリケーションから、アプリケーションの実行状態を示すメタデータを取得する機能と、
実行中のアプリケーションの画像データを記録する記録部から、開始点から終了点までの画像データを、コンテンツデータとして抽出する機能と、
メタデータが取得されたタイミングを示す時間情報を参照して、開始点から終了点までの期間に収集されたメタデータを、コンテンツデータに付加する機能と、
を実現するためのプログラム。
【請求項１４】
請求項１２または１３に記載のプログラムを記録したコンピュータ読み取り可能な記録媒体。